(57)【要約】【課題】ハンガー装置の支持強度に優れると共に、ハンガー装置の表皮材取り付け時に使用するカバーをなるべく目立たなくした椅子を提供する。【解決手段】背もたれ６は背インナーシェル７と前後のクッション８，９とを有しており、前後のクッション８，９は表皮材１０ａ，１０ｂで覆われている。背インナーシェル７の上端には後ろ向き張り出し部７ａが形成されており、後ろ向き張り出し部７ａで隠れた部位にハンガー取り付け部１３を形成している。ハンガー装置を取り付けない状態では、ハンガー取り付け部１３はカバー１４で塞がれている。後ろ向き張り出し部７ａがリブ効果を発揮するためハンガー取り付け部１３のハンガー支持強度が高くか、かつ、カバー１４は後ろ向き張り出し部６ａで隠れているため美観に優れている。【選択図】図７
2013103069.tif 000002
【特許請求の範囲】
【請求項１】
背もたれの上部背面にハンガー装置又はヘッドレスト若しくは他のオプション品を取り付けるためのオプション品取付け部を設けている構成であって、
前記背もたれの上端には庇状の後ろ向き張り出し部をもうけており、この後ろ向き張り出し部で隠れた部位に前記オプション品取付け部を設けており、前記オプション品取付け部は、前記オプション品を取り付けない状態ではカバーで覆われている、
椅子。
【請求項２】
前記背もたれの前面と背面との両方が表皮材で構成されており、前記オプション品取付け部をカバーで覆った状態で、前記背もたれの背面を構成する表皮材が前記カバーで押さえ保持されている、
請求項１に記載した椅子。
【発明の詳細な説明】
【技術分野】
【０００１】
本願発明は、背もたれにハンガー装置等のオプション品を取り付け可能な椅子に関するものである。ここに、オプション品としては、ハンガー装置の他にヘッドレストや荷物下げ用フック（あるいはカゴ）などが含まれる。
【背景技術】
【０００２】
椅子の背もたれにハンガー装置等のオプション品を取り付けることは広く行われている。オプション品の取り付け構造は様々であるが、背もたれの背面にオプション品を取り付ける場合、オプション品を取り付けていない状態で、ねじ穴等の取り付け部が露出して美観を損なう問題がある。そこで、特許文献１，２には、オプション品を取り付けていない状態で、オプション品取付け部をカバーで覆うことが開示されている。
【先行技術文献】
【特許文献】
【０００３】
【特許文献１】特開平１１−１５５６９０号公報
【特許文献２】特開２００４−１５９７４７号公報
【発明の概要】
【発明が解決しようとする課題】
【０００４】
さて、オプション品を取り付けていない状態でも、背もたれの背面はできるだけすっきりしているのが好ましいと言える。この点、特許文献１，２とも、オプション品を取り付けていない状態でのオプション品取付け部の露出は防止できるが、オプション品取付け部は背もたれの背面のうち人目に触れる部位に設けているため、オプション品を取り付けていない状態でカバーが目立つおそれがある。
【０００５】
本願発明はこのような現状に鑑み成されたもので、オプション品取付け部を覆うカバー自体も目立たないようにして美観を向上させること等を目的としている。
【課題を解決するための手段】
【０００６】
本願発明は、背もたれの上部背面にハンガー装置又はヘッドレスト若しくは他のオプション品を取り付けるためのオプション品取付け部を設けている構成において、前記背もたれの上端には庇状の後ろ向き張り出し部をもうけており、この後ろ向き張り出し部で隠れた部位に前記オプション品取付け部を設けており、前記オプション品取付け部は、前記オプション品を取り付けない状態ではカバーで覆われている。
【０００７】
本願発明は請求項２の構成も含んでいる。この請求項２の発明は、請求項１において、前記背もたれの前面と背面との両方が表皮材で構成されており、前記オプション品取付け部をカバーで覆った状態で、前記背もたれの背面を構成する表皮材が前記カバーで押さえ保持されている。
【発明の効果】
【０００８】
本願発明では、オプション品取付け部は後ろ向き張り出し部で隠れた部位に設けているため、オプション品を使用しない場合に取り付けるカバーもさして目立たず、このため美観を向上できる。また、後ろ向き張り出し部のリブ効果によって背もたれ上部の強度をアップできるため、オプション品の支持強度も向上できる。更に、後ろ向き張り出し部は人が椅子を移動させる場合の掴み部として機能させることも可能であり、従って、椅子を掴んで移動させ易いという利点もある。
【０００９】
例えばオフィス等で多用されている回転椅子の背もたれは、樹脂製の背インナーシェル（背板）の前面にクッションを配置してこれを表皮材で覆った構造であることが多く、この場合、表皮材を袋状に構成して背インナーシェル及びクッションをすっぽり覆うことが行われており、この構成を採用すると、デザイン的な統一性を確保できる利点がある。
【００１０】
そして、背もたれの上端に後ろ向き張り出し部を設けて表皮材を袋状に構成すると、表皮材は引っ張られると平面状になる性質があるため、後ろ向き張り出し部の下側の箇所で表皮材が背インナーシェルから離れてしまいやすくなり、これを防止するには、表皮材を背インナーシェルの背面に接着等して固定せねばならいが、これでは加工に手間がかかると共に表皮材の交換も面倒である。
【００１１】
これに対して本願請求項２の発明を採用すると、背もたれの上端に後ろ向き張り出し部を設けていても、表皮材はカバーによって背インナーシェル等の内部部材に押さえ保持されるため、表皮材を内部部材にきっちり重ね保持することができて美観に優れている。なお、オプション品を取り付けた状態でも表皮材を内部部材に重ねた状態に保持するために、オプション品で表皮材を内部部材に押さえ保持するが好ましいと言える。
【図面の簡単な説明】
【００１２】
【図１】第１実施形態に係る椅子の外観図で、（Ａ）は正面図、（Ｂ）は側面図である。
【図２】（Ａ）は椅子の平面図、（Ｂ）は椅子の背面図である。
【図３】（Ａ）は背インナーシェルの全体的な斜視図、（Ｂ）は背インナーシェルの上部を前から見た部分斜視図である。
【図４】背インナーシェルとカバーとを後ろから見た分離斜視図である。
【図５】背インナーシェルとカバーとを前から見た分離斜視図である。
【図６】要部の斜視図である。
【図７】要部の中央部縦断側面図である。
【図８】背インナーシェルとカバーとの分離正面図である。
【図９】（Ａ）は背インナーシェルとハンガー装置全体との分離斜視図、（Ｂ）は背インナーシェルとハンガー装置の一部との分離斜視図である。
【図１０】（Ａ）（Ｂ）ともハンガー装置の分離斜視図である。
【図１１】第２実施形態に係る背もたれの分離斜視図である。
【図１２】第２実施形態の要部の分離斜視図である。
【図１３】図１２の X-X視断面図である。
【図１４】（Ａ）はハンガー装置の一部とバックフレームとの分離斜視図、（Ｂ）はハンガー装置の平面図である。
【発明を実施するための形態】
【００１３】
次に、本願発明の実施形態を図面に基づいて説明する。以下の説明では方向を特定するため「前後」「左右」の文言を使用するが、この前後左右の文言は着座した人を基準にしている。正面視方向は着座した人と対峙した方向であり、従って、正面視での左右と着座した人から見た左右とは逆になる。
【００１４】
(1).第１実施形態の概略
まず、図１〜図１０を参照して第１実施形態を説明する。本実施形態は事務用等に多用されている回転椅子に適用しており、椅子は、脚支柱１及びキャスタ２を有する脚装置３と、脚支柱１の上端に固定したベース４と、ベース４の上に配置した座５と、着座した人がもたれ掛かり得る背もたれ６とを有している。背もたれ６は、ベース２に後傾動自在に連結した背フレーム２ａに取り付けている。
【００１５】
例えば図１（Ａ）に示すように、背もたれ６は、ポリプロピレン等の樹脂より成る背インナーシェル７と、この背インナーシェル７との前面に張った前部クッション８、背インナーシェル７の背面に重ね配置した後部クッション９と、これら背インナーシェル７と及び前後クッション８，９をすっぽり覆う下向き開口袋状の表皮材１０とを有する。なお、前部クッション８と後部クッション９とは背インナーシェル７とにインサート成形で一体に取り付けることも可能であるし、シート状の素材を切り抜いてから背インナーシェル７とに重ねてもよい。
【００１６】
表皮材１０は前部クッション８に重なる前部１０ａと後部クッション９に重なる後部１０ｂとを有している。前部１０ａと後部１０ｂとはその上端及び一方の側縁が一体に繋がっており、他方の側縁にはファスナ（図示せず）を設けている。また、下端の開口部にもファスナ（図示せず）を設けている。
【００１７】
例えは図４に示すように、背インナーシェル７の背面には多数の補強リブ１１を設けている。また、背インナーシェル７の背インナーシェル７の上端には、後ろ向きに突出した後ろ向き張り出し部７ａが形成されている。従って、背もたれ６の上端にも後ろ向き張り出し部６ａが存在している。前後のクッション８，９は、背インナーシェル７の後ろ向き張り出し部７ａに重なっている。
【００１８】
そして、図１に一点鎖線で示すように、背もたれ６の上端部でかつ左右中央部には、オプション品の一例としてのハンガー装置１２を取り付けることができる。そこで、図３（Ｂ）〜図５に明瞭に示すように、背インナーシェル７の上端部でかつ左右中央部に、オプション品取付け部の一例として、ハンガー取り付け部１３を形成しており、ハンガー装置１２を取り付けない場合は、ハンガー取り付け部１３はカバー１４で覆われる。
【００１９】
本実施形態のハンガー装置１２は、ハンガー取り付け部１３に固定されるサポート部１５と、このサポート部１５に昇降自在に装着された正面視略Ｔ型のハンガー体１６とで構成されており、ハンガー体１６の支柱部がサポート部１５で昇降自在に抱持されている。ハンガー装置１２の詳細は後述する。
【００２０】
(2).ハンガー装置取り付け部及びカバー
図３（Ｂ）〜図５，図８に示すように、ハンガー取り付け部１３は、左右中央部に位置して前後に開口した１つの第１係合穴１８と、その左右外側に位置して後ろ向きに開口した左右一対ずつの第２係合穴１９と、第２係合穴１９の外側に位置して前後に開口した左右一対ずつの第３係合穴２０と、第３係合穴２０の左右外側に位置して前後に開口した左右一対の第４係合穴２１を有している。
【００２１】
図５に示すように、第１係合穴１８の前面開口部はセンター前面リブ２２で囲われており、第３〜第４の係合穴２０，２１の前面開口部はサイド前面リブ２３で囲われている。第２係合穴１９の後部はセンター前面リブ２２とサイド前面リブ２３の間に位置している。他方、背インナーシェル７の背面の部位では、各係合穴１８〜２１の群は背面リブ２４の群で区画されている。
【００２２】
つまり、背インナーシェル７を開口させると共にリブ２２〜２４を形成することで、各係合穴１８〜２１が形成されている（リブを後面のみに形成してもよい。）。背面リブ２４は第４係合穴２１の左右外側にはみ出しており、背面リブ２４と後ろ向き張り出し部７ａとで囲われた部位がハンガー取り付け部１３になっている。そして、このハンガー取り付け部１３に、カバー１４が後部表皮材１０ｂを介して後ろから重なり得る。ハンガー取り付け部１３及びハンガー装置１４は、背面視で左右方向に細長い楕円の外観を呈している。
【００２３】
ハンガー取り付け部１３は、背インナーシェル７における鉛直状背面の上端と後ろ向き張り出し部７ａとに跨がるように形成されている。そこで、背面リブ２４のうち上下方向に延びているリブ２４ａは、後ろ向き張り出し部７ａの先端に向けて延びるように側面視で湾曲している。つまり、ハンガー取り付け部１３は、側面視で後ろ下方に向いて凹の状態に湾曲している。リブ２２，２３，２４の存在により、ハンガー取り付け部１３の箇所での強度は格段に高くなっている。
【００２４】
第１係合穴１８、第２係合穴１９，第４係合穴２１はそれぞれ正面視略四角形の形態である一方、第３係合穴２１は背面視で逆凸型になっている。第３係合穴２１はハンガー装置１２のサポート部１５を取り付けるにおいて強度保持部として機能するものであり、図４に示すように、第３係合穴２０の手前部はサイド前面リブ２３で補強されている。
【００２５】
カバー１４は、背インナーシェル７のハンガー取り付け部１３に重なる本体１４ａを有している。ハンガー取り付け部１３は背インナーシェル７の背面の上端部から後ろ向き張り出し部７ａまで延びているので、カバー１４の本体１４ａも後ろ向き張り出し部７ａに下方から重なる後ろ向きの庇状部２７ａを有する。
【００２６】
カバー１４の本体１４ａには、ハンガー取り付け部１３の第１係合穴１８に嵌まる１つのセンター係合爪２５と、第２係合穴１９に嵌まる正面視逆凸形の位置決め突起２６と、第４係合穴２１に嵌まるサイド係合爪２７とが前向きに突設されている。センター係合爪２５の前端には上向き爪部２５ａが形成されており、そこで、第１係合穴１８には、上向き爪部２５ａが引っ掛かるセンター係止部２８を形成している。位置決め突起２６は第２係合穴１９に単に嵌まっているだけであり、引っ掛かり機能は備えていない。他方、サイド係合爪の前端には下向き爪部２７ａを形成しており、そこで、図５から理解できるように、第４係合穴２１には、サイド係合爪２７の下向き爪部２７ａが引っ掛かるサイド係止部２９を形成している。                            
【００２７】
図７に示すように、後部クッション９のうちハンガー取り付け部１３に対応した部位にはくり抜き部３０が形成されており、カバー１４は、後部表皮材１０ｂを押した状態で配置されている。このため、後部表皮材１０ｂは、後ろ向き張り出し部７ａの箇所において後部クッション９に重なるように密着している。
【００２８】
従って、後ろ向き張り出し部７ａの外形がクリアに表れていて美観に優れている。カバー１４の取り付けに当たっては、各係合爪２６，２７及び位置決め突起２６を後部表皮材１０ｂに貫通させるが、予め各係合爪２６，２７及び位置決め突起２６に対応した穴を後部表皮材１０ｂに空けておいてもよいし、取り付け時にナイフや刺し具で穴を空けるなどしてもよい。
【００２９】
ハンガー装置１２を取り付けるに際しては、サポート部１５を後部表皮材１０ｂに重ねて、各係合穴１８〜２１に嵌まる足部を後部表皮材１０ｂに貫通させても良いし、後部表皮材１０ｂを切り抜いてもよい。ハンガー装置１２のサポート部１５はカバー１４と略同じ背面視形状になっている。このため、ハンガー装置１２を取り付けた状態でも、後部表皮材１０ｂは後部クッション９に密着している。
【００３０】
(3).ハンガー装置
ハンガー装置１２の詳細は図９，１０に表示している。この点を次に説明する。既述のとおりハンガー装置１２はサポート部１５とハンガー体１６と有している。そして、図９（Ｂ）に示すように、サポート部１５は、背インナーシェル７のハンガー取り付け部１３に後ろから固定されるベース部４１と、ベース部４１に後ろから装着された押圧体４２とを有しており、両者の間には弾性体の一例してとゴムブロック（チェラストブロック）４３が介在している。
【００３１】
ベース部４１は、カバー１４と略同じ背面視形状の重合部４１ａと、重合部４１ａから後ろ向きに突出した支持部４１ｂとを有しており、支持部４１ｂは背面視で概ね四角形の形態であり、重合部４１ａの上下両側にはみ出ている。図９（Ｂ）に示すように、重合部４１ａの前面からは、カバー１４と同様に、ハンガー取り付け部１３の第１係合穴１８に嵌まる１つのセンター係合爪４４と、第２係合穴１９に嵌まる角形の位置決め突起４５と、第４係合穴２１に嵌まるサイド係合爪４６とが前向きに突設されている。
【００３２】
更に、ベース部４１の重合部４１ａには、ハンガー取り付け部１３の第３取り付け穴２０に後ろから嵌まる円筒状のボス体４７を前向き突設している一方、ハンガー取り付け部１３の第３取り付け穴２０には、平面視Ｔ形のフランジ付きナット４８を回転不能に装着している。フランジ付きナット４８は、第３取り付け穴２０に後ろから挿入して下向きにずらという手順でにより、第３取り付け穴２０に嵌め込まれる。
【００３３】
従って、後ろからボス体４７に挿入したビス４９をフランジ付きナット４８にねじ込むことにより、ベース部４１はハンガー取り付け部１３にしっかりと固定される。また、後部表皮材１０ｂは背インナーシェル７に重合部４１ａで押さえ保持されているため、後部表皮材１０ｂはクッションに密着した状態に保持される。
【００３４】
図１０に示すように、ハンガー体１６の支柱５０は前向きに開口しているが、開口部は左右内側部に内向きリップ５１ａを設けた蟻溝５１になっており、ベース体４１における支持部４１ｂの後端部と押圧体４２の後端部とが蟻溝５１に嵌まっている。そこで、ベース体４１の支持部４１ｂには、ハンガー体１６のリップ５１ａが嵌まる左右の縦溝５２が形成されている。また、押圧体４２の左右両端には、リップ５１ａの内側に嵌まるフラップ４２ａを形成している。このため、ハンガー体１６は上下動は可能で前後左右に離脱不能に保持される。
【００３５】
ハンガー体１６における蟻溝５１の内底面には、ハンガー体１６カバー１４の上向き抜けを阻止する下部突起５３と、上昇させたハンガー体１６が下降しないように保持する上部突起５４とを設けている。他方、押圧体４２には下向き舌状のキャッチ片５５を設けており、キャッチ片５５に、下部突起５３が下方から当たる下部爪５５ａと、上部突起５４が上から当たる上部爪５５ｂとを設けている。キャッチ片５５は弾性に抗して上端を中心にして前後に回動するようになっており、手前に引き曲げると下部爪５５ａを下突起５３から離脱させてハンガー体１６を抜き外すことができる。
【００３６】
ホルダー４２は、ベース部４１に設けた後ろ向き開口の凹所５６に嵌まっており、上下方向及び左右方向にずれ不能に保持されている。また、押圧体４２の左右両側部に前向きの撓み係合爪５７を設ける一方、ベース部４１における凹所５６の左右内側面には、撓み係合爪５７が弾性に抗しての変形によって係合する係合突起５８を設けている。ベース部４１と押圧体４１との間にゴムブロック４３が介在しているため、押圧体４２の左右両側部の後面がハンガー体１６に突っ張っており、このため、ハンガー体１６はガタ付きのない状態に保持されている。
【００３７】
(4).第２実施形態
次に、図１１〜１４に示す第２実施形態を説明する。この実施形態の背もたれ６は、前後に開口したバックフレーム３２と、バックフレーム３２にインサンート成形で一体に設けられた樹脂製のバックシート３３とで構成されている。この実施形態では、バックシート３３は露出したままである。バックフレーム３２は、左右のサイドメンバー３４と、サイドメンバー３４の上端間に一体に繋がったアッパーメンバー３５と、サイドメンバー３４の下端間に一体に繋がったロアメンバー３６とから成っている。図１１に示すように、バックシート３３のうちアッパーメンバー３５を抱持する部分には、ハンガー取り付け部１３を露出させるための穴３３ａが後ろ向きに開口している。
【００３８】
アッパーメンバー３５には後ろ向き張り出し部３５ａが形成されており、ハンガー取り付け部１３には、庇状の後ろ向き張り出し部３５ａが一体に形成されている。ハンガー取り付け部１３は底板１３ａを有しており、アッパーメンバー３５の背面から後ろ向きに突出すると共に後ろ向き張り出し部７ａの下面からは下向きに突出した箱状に形成されており、前後に開口している。また、ハンガー取り付け部１３の内部はリブの群で左右複数に仕切られており、これらリブで仕切られた空所に、ハンガー装置のサポート部に設けた足部が嵌入される。また、底板１３ａには左右一対のビス挿通穴３７を設けており、ビス挿通穴３７に挿通したビスがハンガー装置のサポート部にねじ込まれる。
【００３９】
この実施形態のカバー１４は、ハンガー取り付け部１３に下方から被さるように略トレー状に形成されている。カバー１４の外れ防止手段としては、例えばビス挿通穴に嵌まる係合爪を突設したらよい。或いは、ハンガー取り付け部１３の内部にナットを挿入して、これに、カバー１４に貫通したビスをねじ込むことも可能である。
【００４０】
この実施形態でも、ハンガー取り付け部１３は後ろ向き張り出し部３２ａで隠れた部位に設けているため、カバー１４を配置してもそのカバー１４が目立つことはない。このため美観に優れている。また、アッパーメンバー３５は後ろ向き張り出し部３５ａを設けたことで断面Ｌ型になっているため、アッパーメンバー３５の強度が高くなっていると共に、ハンガー装置の支持強度も優れている。
【００４１】
この実施形態に使用するハンガー装置１２は第１実施形態のハンガー装置１２と同様にベース体４１と押圧体４２とハンガー体１６とを有する。ベース体４１と押圧体４２とハンガー体１６との関係は第１実施形態に使用したハンガー装置１２と同じであるが、ベース体４１の構造が第１実施形態とは相違している。すなわち、この実施形態のベース体４１は、重合部４１ａはカバー１４と略同じ形状に形成されており、その内部に側面視コの字形の補強金具５９が配置されている。
【００４２】
補強金具５９は、その上板５９ａはハンガー取り付け部１３の内部に入り込んで下板５９ｂはハンガー取り付け部１３の下面に重なっている。そして、補強金具５９に、ベース体４１の重合部４１ａに上から挿入した上ビス６０がねじ込むことにより、補強金具５９とベース体４１とが固定されていると共に、重合部４１ａに下方から挿通して下ビス６１が補強金具５９の下板５９ｂとハンガー取り付け部１３の下部とを貫通して、補強金具５）の上板５９ａにねじ込まれている。当然ながら、下ビス６１は、ハンガー取り付け部１３のビス挿通穴３７に嵌まっている。
【００４３】
(5).その他
本願発明は、上記の実施形態の他にも様々に具体化できる。例えば、前後に開口したバックフレームにメッシュ材を張った椅子にも適用できる。ハンガー装置も、例えば左右２本の支柱を有する形態にするなど、様々な形態を採用できる。背もたれがロッキングしない椅子にも適用できることはいうまでもない。
【産業上の利用可能性】
【００４４】
本願発明は椅子に具体化することができる。従って、産業上利用できる。
【符号の説明】
【００４５】
６  背もたれ
７  背インナーシェル
８  前部クッション
９  後部クッション
１０  表皮材
１０ｂ  後部表皮材
１２  ハンガー装置
１３  ハンガー取り付け部
１４  カバー
１４ａ  本体
１５  サポート部
１６  ハンガー体
【図１】
2013103069.tif 000003
【図２】
2013103069.tif 000004
【図３】
2013103069.tif 000005
【図４】
2013103069.tif 000006
【図５】
2013103069.tif 000007
【図６】
2013103069.tif 000008
【図７】
2013103069.tif 000009
【図８】
2013103069.tif 000010
【図９】
2013103069.tif 000011
【図１０】
2013103069.tif 000012
【図１１】
2013103069.tif 000013
【図１２】
2013103069.tif 000014
【図１３】
2013103069.tif 000015
【図１４】
2013103069.tif 000016